(57)【要約】【課題】シーリング材による縦目地の下方の撥水汚染を防止又は抑制する目地構造を得る。【解決手段】窓枠２４の縦枠２４Ｂの側面下部に水切り部材３８を取付け、窓枠２４の下枠２４Ａの底面から垂下させるようにしている。そして、窓枠２４を外壁パネル１８の開口部１８Ａに嵌め込んだ状態で、水切り部材３８の底壁４６が外壁パネル１８の開口部１８Ａの下角部４８に配置（挿入）されると共に、水切り部材３８の先端側が外壁パネル１８の表面から突出するように設定されている。この状態で、窓枠２４と外壁パネル１８との間に設けられた目地３２にシーリング材を充填して、当該目地３２をシールする。水切り部材３８の先端側が外壁パネル１８の表面から突出しているため、縦目地３４内のシーリング材の表面を伝って流れる雨水は、縦目地３４の下方には流れない。このため、シーリング材による縦目地３４の下方の撥水汚染を防止又は抑制することができる。【選択図】図３
2011246949.tif 000002
【特許請求の範囲】
【請求項１】
建物の外壁を形成する外壁材に形成された開口部と、
前記開口部内に嵌め込まれ、当該開口部との間に設けられた横目地及び縦目地のうち少なくとも前記縦目地が不定形シールでシールされた枠部材と、
前記縦目地の下部側に挿入され、先端側が前記外壁材の表面から突出する撥水汚染防止手段と、
を有する目地構造。
【請求項２】
前記撥水汚染防止手段が、前記開口部の下角部に固定された第１水切り部材である請求項１に記載の目地構造。
【請求項３】
前記撥水汚染防止手段が、前記枠部材の縦枠の側面下部に取付けられると共に、前記開口部の下角部に配置された第２水切り部材である請求項１に記載の目地構造。
【請求項４】
前記撥水汚染防止手段が、前記枠部材の下枠から縦枠の側面下側に亘って延設された第３水切り部材である請求項１に記載の目地構造。
【発明の詳細な説明】
【技術分野】
【０００１】
本発明は、建物の目地に用いられる目地構造に関する。
【背景技術】
【０００２】
一般的に、建物の外壁の目地にはシーリング材が設けられ、部材間で生じる隙間をシーリングしている。例えば、特許文献１では、建物の屋上に設けられたパラペットの張り出し部と建物の外装板との間の目地を埋めるため防水層が設けられるが、ここでは、外装板の上端部を挟み込んだ状態で保持する水切り金物を設け、パラペットの側面に取付けている。そして、この水切り金物とパラペットの張り出し部との間に防水層を設けている。
【０００３】
一方、防水層を形成するためシリコン系のシーリング材が使用されるが、変性シリコンなどによるシーリング材には可塑剤が含まれているものが多い。可塑剤が含まれたシーリング材では、雨水が掛かることで可塑剤が流出し外壁表面に付着してしまう。これにより、外壁表面の親水性を低下させ外壁を汚れやすくしてしまう（いわゆる撥水汚染）。
【０００４】
特に、外壁をくり抜いて設置する窓部材では、窓部材の窓枠の外形に沿って横目地及び縦目地が設けられるが、横目地と縦目地の交叉部において縦目地が途切れる場合、当該縦目地の下方では撥水汚染が目立ってしまう。
【先行技術文献】
【特許文献】
【０００５】
【特許文献１】特開２００７−２３１６５９号公報
【発明の概要】
【発明が解決しようとする課題】
【０００６】
本発明は上記事実を考慮し、シーリング材による縦目地の下方の撥水汚染を防止又は抑制する目地構造を得ることが目的である。
【課題を解決するための手段】
【０００７】
上記目的を達成するために、請求項１に記載の発明に係る目地構造は、建物の外壁を形成する外壁材に形成された開口部と、前記開口部内に嵌め込まれ、当該開口部との間に設けられた横目地及び縦目地のうち少なくとも前記縦目地が不定形シールでシールされた枠部材と、前記縦目地の下部に挿入され、先端側が前記外壁材の表面から突出する撥水汚染防止手段と、を有している。
【０００８】
請求項１に記載の発明に係る目地構造では、建物の外壁を形成する外壁材に形成された開口部内に、窓部などの枠部材が嵌め込まれた場合において、枠部材と開口部との間に設けられた目地（横目地及び縦目地）のうち少なくとも縦目地が不定形シールでシールされる。この縦目地の下部に、先端側が外壁材の表面から突出する撥水汚染防止手段が挿入されている。
【０００９】
撥水汚染防止手段の先端側は外壁材の表面から突出しているため、縦目地内の不定形シールの表面を伝って流れる液体（雨水等）は、撥水汚染防止手段に到達すると当該撥水汚染防止手段の先端部を経て落下する。つまり、縦目地内の不定形シールの表面を伝って流れる液体は、縦目地の下方には流れない。
【００１０】
請求項２に記載の発明に係る目地構造は、請求項１に記載の目地構造において、前記撥水汚染防止手段が、前記開口部の下角部に固定された第１水切り部材である。
【００１１】
請求項２に記載の発明に係る目地構造では、撥水汚染防止手段として、開口部の下角部に第１水切り部材を固定する。つまり、枠部材と開口部との間に設けられた縦目地部分の下部に第１水切り部材が固定される。そして、この状態で、枠部材と開口部の間の目地に不定形シールを充填して、当該目地をシールする。
【００１２】
請求項３に記載の発明に係る目地構造は、請求項１に記載の目地構造において、前記撥水汚染防止手段が、前記枠部材の縦枠の側面下部に固定されると共に、前記開口部の下角部に配置された第２水切り部材である。
【００１３】
請求項３に記載の発明に係る目地構造では、撥水汚染防止手段として、枠部材の縦枠の側面下部に第２水切り部材を固定し、当該第２水切り部材が開口部の下角部に配置されるようにする。枠部材には予め第２水切り部材が固定されているため、開口部内に枠部材を嵌め込むと、当該第２水切り部材が開口部の下角部に配置される。この状態で、枠部材と開口部との間に設けられた目地に不定形シールを充填して、当該目地をシールする。
【００１４】
請求項４に記載の発明に係る目地構造は、請求項１に記載の目地構造において、前記撥水汚染防止手段が、前記枠部材の下枠から縦枠の側面下側に亘って延設された第３水切り部材である。
【００１５】
請求項４に記載の発明に係る目地構造では、撥水汚染防止手段として、枠部材の下枠から縦枠の側面下側に亘って第３水切り部材を延設しているため、開口部内に枠部材を嵌め込むと、枠部材と開口部との間に設けられた縦目地の下部側に、枠部材の下枠から縦枠の側面下側に位置する第３水切り部材の一部が挿入されることとなる。そして、この状態で、枠部材と開口部の間の目地に不定形シールを充填して、当該目地をシールする。
【００１６】
この場合、第３水切り部材の下方には横目地部分が設けられることとなるが、当該第３水切り部材は、枠部材の下枠から縦枠の側面下側に亘って設けられているため、当該横目地内の不定形シールに対して庇となって、横目地内の不定形シールには直接雨水が掛からないようにすることができる。
【発明の効果】
【００１７】
以上説明したように、請求項１に記載の発明に係る目地構造によれば、シーリング材による縦目地の下方の撥水汚染を防止又は抑制することができるという優れた効果を有する。
【００１８】
請求項２に記載の発明に係る目地構造によれば、開口部の下角部に第１水切り部材を固定するだけなので、現行の枠部材をそのまま使用できるという優れた効果を有する。
【００１９】
請求項３に記載の発明に係る目地構造によれば、開口部内に枠部材を嵌め込むと、第２水切り部材が開口部の下角部に配置されるため、作業性が良いという優れた効果を有する。
【００２０】
請求項４に記載の発明に係る目地構造によれば、開口部内に枠部材を嵌め込むと、枠部材と開口部との間に設けられた縦目地の下部側に第３水切り部材の一部が挿入されるため、作業性が良いという優れた効果を有する。
【図面の簡単な説明】
【００２１】
【図１】本実施の形態に係る目地構造が適用された窓部材を外壁パネルの開口部に嵌め込む前の状態を示す斜視図である。
【図２】本実施の形態に係る目地構造が適用された窓部材が外壁パネルの開口部に嵌め込まれた状態を示す正面図である。
【図３】本実施の形態に係る目地構造が適用された窓部材が外壁パネルの開口部に嵌め込まれた状態を示す要部拡大斜視図である。
【図４】本実施の形態に係る目地構造が適用された窓部材が外壁パネルの開口部に嵌め込まれ、目地にシーリング材が充填された状態を示す要部拡大斜視図である。
【図５】本実施の形態に係る目地構造の変形例を示す、図３に対応する要部拡大斜視図である。
【図６】建物の概略正面図である。
【図７】その他の実施形態に係る目地構造が適用された窓部材を外壁パネルの開口部に嵌め込む前の状態を示す斜視図である。
【図８】その他の実施形態に係る目地構造が適用された窓部材が外壁パネルの開口部に嵌め込まれ、目地にシーリング材が充填された状態を示す要部拡大斜視図である。
【発明を実施するための形態】
【００２２】
以下、本発明に係る目地構造の一実施形態について説明する。
（目地構造の構成）
まず、本発明の実施の形態に係る目地構造の構成について説明する。
【００２３】
図６には、建物の概略正面図が示されている。図６に示されるように、この建物１０は一階部分１２と、一階部分１２の上に据付けられた二階部分１４と、二階部分１４の上に据付けられた屋根部分１６と、を含んで構成されている。一階部分１２、二階部分１４及び屋根部分１６の外周部には、外壁パネル（外壁材）１８がそれぞれ設けられている。これらの外壁パネル１８は、例えばサイディング材が用いられ、複数枚の外壁パネルで構成されている。
【００２４】
外壁パネル１８の中央部には窓部材２０が設けられており（後述する）、室内を開閉可能としている。ここで、図１及び図２に示されるように、窓部材２０は引違いサッシ２２と引違いサッシ２２の外側に設けられた窓枠２４とを備えており、窓枠２４の下枠２４Ａの表面からは、下枠２４Ａの全長に亘って水切り板２８が室外側へ向かって突出している。
【００２５】
この水切り板２８は断面が略Ｌ字状を成しており、窓枠２４の下枠２４Ａの表面から室外側へ向かって略水平に突出した後、斜め前方下部へ向かって外壁パネル１８の表面から離間する方向へ屈曲している。つまり、水切り板２８は後述する横目地３６の表面を覆うように庇となって、当該横目地３６に直接雨水が掛からないようにしている。
【００２６】
一方、図１に示されるように、外壁パネル１８の室内側には、断熱材等が収容された壁部３０が設けられているが、窓部材２０を設けるため外壁パネル１８及び壁部３０には開口部１８Ａ、３０Ａがそれぞれ形成されている。壁部３０の開口部３０Ａの大きさは、外壁パネル１８の開口部１８Ａよりも小さく設定されており、外壁パネル１８の開口部１８Ａの内周部と壁部３０の開口部３０Ａの内周部との間には段差が設けられている。
【００２７】
窓枠２４が外壁パネル１８の開口部１８Ａ（及び壁部３０の開口部３０Ａ）内に嵌め込まれた状態で、窓枠２４の表面と外壁パネル１８の表面は略面一の状態となるように設定されており、この状態で窓枠２４の水切り板２８は外壁パネル１８の表面から突出する。
【００２８】
また、図２及び図３に示されるように、窓枠２４の外周面と外壁パネル１８の開口部１８Ａの内周面との間には目地３２が設けられている。目地３２は、建物の高さ方向に沿って設けられた縦目地３４と、建物の水平方向に沿って設けられた横目地３６と、で構成され、横目地３６と縦目地３４の交叉部において、縦目地３４が途切れている。
【００２９】
目地３２内にはシール部材が設けられることとなるが、シール部材としては、シーリング材などの不定形シール（湿式シール）が充填される場合と、ガスケットなどの定形シール（乾式シール）が嵌め込まれる場合とがあり、この目地３２の少なくとも縦目地３４には不定形シールが充填されている。
【００３０】
不定形シールの場合、シーリング材３７（図４参照）に含有された可塑剤やシリコンオイルが、雨水によって外壁パネル１８の表面に付着し、当該外壁パネル１８の表面の親水性を低下させ汚れやすくしてしまう。特に、窓枠２４の周りに設けられる目地３２において、横目地３６と縦目地３４の交叉部Ａ（図２参照）において縦目地３４が途切れる場合、当該縦目地３４の下部の汚れが問題となる（いわゆる撥水汚染）。
【００３１】
このため、本実施形態では、図１及び図３に示されるように、窓枠２４の縦枠２４Ｂの側面下部に、正面視で略Ｕ字状を成す水切り部材（第１水切り部材）３８が固定されている。この水切り部材３８の一方の側壁４０からは取付片４２が延出しており、当該取付片４２がビス４４などを介して、窓枠２４の縦枠２４Ｂの側面下部に取付けられる。
【００３２】
このため、水切り部材３８は窓枠２４の下枠２４Ａの底面から垂下した状態となるが、横目地３６の幅分、垂下する長さに設定され、図３に示されるように、窓枠２４が外壁パネル１８の開口部１８Ａ内に嵌め込まれた状態で、水切り部材３８の底壁４６が外壁パネル１８の開口部１８Ａの下角部４８に配置（挿入）される。この状態で、水切り部材３８の先端側が外壁パネル１８の表面から突出するように設定されている。
【００３３】
そして、水切り部材３８の一方の側壁４０と対向する側壁５０が、外壁パネル１８の開口部１８Ａに面接触すると共に、側壁４０は窓枠２４の縦枠２４Ｂの下方の位置となるように設定されている。つまり、水切り部材３８の底壁４６が、縦目地３４の幅方向の全域に亘って縦目地３４の下部に配置されることとなる。なお、ここでは、水切り部材３８の側壁４０と取付片４２を直線的に繋いでいるが、取付片４２の基部を屈曲させ、水切り部材３８の側壁４０が窓枠２４に設けられた水切り板２８の下方に配置されるようにした方が好ましい。
【００３４】
（目地構造の作用・効果）
次に、本発明の実施の形態に係る目地構造の作用・効果について説明する。
【００３５】
本実施形態では、図１に示されるように、窓枠２４の縦枠２４Ｂの側面下部に、正面視で略Ｕ字状を成す水切り部材３８を取付け、窓枠２４の下枠２４Ａの底面から垂下させるようにしている。そして、窓枠２４を外壁パネル１８の開口部１８Ａに嵌め込んだ状態で、図３に示されるように、水切り部材３８の底壁４６が外壁パネル１８の開口部１８Ａの下角部４８に配置（挿入）されると共に、水切り部材３８の先端側が外壁パネル１８の表面から突出するように設定されている。この状態で、図４に示されるように、窓枠２４の外周面と外壁パネル１８の開口部１８Ａの内周面との間に設けられた目地３２にシーリング材３７を充填して、当該目地３２をシールする。
【００３６】
このように、水切り部材３８の先端側が外壁パネル１８の表面から突出しているため、縦目地３４内のシーリング材３７の表面を伝って流れる液体（雨水等）は、水切り部材３８に到達すると当該水切り部材３８の先端部を経て落下する。つまり、縦目地３４内のシーリング材３７の表面を伝って流れる雨水は、縦目地３４の下方には流れないこととなる。このため、シーリング材による縦目地３４の下方の撥水汚染が防止又は抑制される。
【００３７】
また、ここでは、窓枠２４には予め水切り部材３８が固定されているため、外壁パネル１８の開口部１８Ａ内に窓枠２４を嵌め込むと、当該水切り部材３８が開口部１８Ａの下角部４８に配置されるため、作業性が良い。また、現行の窓部材２０をそのまま使用できるため、窓部材２０の設計変更などが不要である。
【００３８】
なお、ここでは、外壁パネル１８の開口部１８Ａ内に窓枠２４を嵌め込む前に、窓枠２４の縦枠２４Ｂの側面下部に予め水切り部材３８を取付けるようにしたが、外壁パネル１８の開口部１８Ａ内に窓枠２４を嵌め込んだ後に、当該水切り部材３８を窓枠２４の縦枠２４Ｂの側面下部に取付けても良い。
【００３９】
またさらに、図５に示されるように、窓枠２４に固定するための取付片４２（図３参照）をなくしても良い。この場合、窓枠２４を外壁パネル１８の開口部１８Ａ内に窓枠２４を嵌め込んだ後（嵌め込む前でも良い）、水切り部材（第１水切り部材）５２を開口部１８Ａの下角部４８に挿入し、接着剤又はビス等によって当該開口部１８Ａの下角部４８に固定する。
【００４０】
＜その他の実施形態＞
上記の実施形態では、窓枠２４とは別に、水切り部材３８（図３参照）又は水切り部材５２（図５参照）を設けて、当該水切り部材３８又は水切り部材５２を開口部１８Ａの下角部４８に挿入するようにしている。
【００４１】
しかし、本実施形態では、窓枠２４の下枠２４Ａに設けられた水切り板２８を利用し、図７及び図８に示されるように、窓枠２４の下枠２４Ａから縦枠２６Ｂの側面下側に亘って延設された水切り部材（第３水切り部材）５４としている。
【００４２】
このため、外壁パネル１８の開口部１８Ａ内に窓枠２４を嵌め込むと、窓枠２４と外壁パネル１８の開口部１８Ａとの間に設けられた縦目地３４の下部側に、水切り部材５４（水切り部材５６の一部）が挿入されることとなる。つまり、水切り部材５４が縦目地３４の下部側に配置される。なお、ここでは、水切り板２８と水切り部材５４を区別できるように境界部分を実線で示しているが、実際には水切り部材５６としてこれらは一体に設けられている。
【００４３】
ここで、水切り部材５４の下方には、横目地３６の端部（縦目地３４の下部）が設けられることとなるが、水切り板２８と同様、水切り部材５４が庇となって、当該横目地３６の端部には直接雨水が掛からないように設定される。
【００４４】
以上のような構成により、縦目地３４の下方の撥水汚染を防止又は抑制することができる。このように、窓枠２４の下枠２４Ａに水切り部材５４を形成することで、窓枠２４や外壁パネル１８の開口部１８Ａに水切り部材を取付ける必要がなく、作業性がさらに良くなる。
【００４５】
なお、上記の説明では窓部について説明したが、外壁パネル１８に形成された開口部１８Ａ内に嵌め込まれる枠部材であれば適用可能である。
【符号の説明】
【００４６】
１０      建物
１８Ａ    開口部
１８      外壁パネル（外壁材）
２４      窓枠（枠部材）
３２      目地
３４      縦目地
３６      横目地
３７      シーリング材（不定形シール）
３８      水切り部材（第２水切り部材）
５２      水切り部材（第１水切り部材）
５６      水切り部材（第３水切り部材）
【図１】
2011246949.tif 000003
【図２】
2011246949.tif 000004
【図３】
2011246949.tif 000005
【図４】
2011246949.tif 000006
【図５】
2011246949.tif 000007
【図６】
2011246949.tif 000008
【図７】
2011246949.tif 000009
【図８】
2011246949.tif 000010